(57)【要約】【課題】収納棚を形成するための構造部材としてパイプを用いる場合において、組み立てに係る作業性を格段に向上させることができる組み立て収納棚を提供する。【解決手段】一対の桟部１２で複数の棚部用パイプ３０の両端部を受けて支持することで、複数の棚部用パイプ３０が棚を形成するように設けられ、桟部１２は、上面板部１４と側面板部１５とが設けられるように形成された桟の角部１３を備え、桟の角部１３にパイプ受穴部２０が設けられ、パイプ受穴部２０は、棚部用パイプ３０の端部が下方へ進入可能となるように設けられた上面側切欠き部２１と、側面板部１５に棚部用パイプ３０の端部の周側面を受けて支持すると共に該周側面の半円分以上が嵌って抜け止め効果を生じるように半円よりも周長が長く形成された側面切欠き部２２とが設けられることで形成されている。【選択図】図５
2017099333.tif 000002
【特許請求の範囲】
【請求項１】
一対の桟部で複数の棚部用パイプの両端部を受けて支持することで、該複数の棚部用パイプが棚を形成するように設けられる組み立て収納棚であって、
前記桟部は、上面板部と側面板部とが設けられるように形成された桟の角部を備え、
該桟の角部に前記棚部用パイプの端部を受けて支持するパイプ受穴部が設けられ、
該パイプ受穴部は、実質的に水平に位置するように装着される前記棚部用パイプの端部が下方へ進入可能となるように前記上面板部から前記側面板部にかけて設けられた上面側切欠き部と、該上面側切欠き部に連続して前記側面板部に前記棚部用パイプの端部が下方へ進入可能に上方に開口する溝穴状に形成され、該棚部用パイプの端部の周側面を受けて支持すると共に該周側面の半円分以上が嵌って抜け止め効果を生じるように半円よりも周長が長く形成された側面切欠き部とが設けられることで形成されていることを特徴とする組み立て収納棚。
【請求項２】
前記パイプ受穴部が、平板材を原材料とし、四角形と円形とを二つの工程で重ねて抜いた後に、曲げ加工によって前記桟の角部を形成することで設けられていることを特徴とする請求項１記載の組み立て収納棚。
【請求項３】
前記棚部用パイプが装着される一対の前記パイプ受穴部の開口最大間隔が、該棚部用パイプの長さよりも短く設けられ、装着された該棚部用パイプが上方へ外れることを防止するように、前記上面板部の前記上面側切欠き部が形成された部位より外側の上面板部が残された部位として上面抜け止め部が設けられていることを特徴とする請求項１又は２記載の組み立て収納棚。
【請求項４】
複数の前記桟部が、上下に所定の間隔をおいて一対の支柱部の間に固定されることで、複数段の棚を構成するための側部枠が形成されていることを特徴とする請求項１〜３のいずれかに記載の組み立て収納棚。
【請求項５】
一対の前記側部枠と、上部枠と、下部枠とを連結して組み立てることによって矩形棚枠を設け、該矩形棚枠に複数の前記棚部用パイプを装着することで構成されていることを特徴とする請求項４記載の組み立て収納棚。
【発明の詳細な説明】
【技術分野】
【０００１】
本発明は、一対の桟部で複数の棚部用パイプの両端部を受けて支持することで、該複数の棚部用パイプが棚を形成するように設けられる組み立て収納棚に関する。
【背景技術】
【０００２】
従来の組み立て収納棚としては、例えば、夫々一端にキャスターを有する四隅の起立辺部を形成するパイプ状の支柱枠部と、該支柱枠部に対し複数段にして水平で且つ平面矩形枠状にしてジョイント部材を介して横架したサイド棚枠部と、対向するサイド棚枠部に対し両端が着脱可能とした掛架部材を介して複数に隣列して掛架した棚部構成用パイプ部材を形成する。また、掛架部材は、断面略Ｃ字型の筒状の把持部と、該把持部に対し直角に突出したジョイントパイプ部とから平面略Ｔ字型に形成するフラワーカート（特許文献１参照）が提案されている。
【０００３】
また、従来の棚に用いられるパイプの接続構造としては、例えば、継手本体の継手部のパイプ延設方向に２以上のスリットを形成して継手部を複数に分割し、継手本体の継手部の外周側面に形成させたネジ山に固定具の内周側面に形成させたネジ山を螺合させて、継手本体の継手部先端のテーパー状外周側面に対し、固定具の内側内周面のテーパー状内周側面によって強圧させてパイプと継手とを強固に接続する（特許文献２参照）ものが提案されている。これによれば、パイプを強固に接続する場合には有効であるが、棚を形成するための棚部用パイプのように強固な接続が必須でない場合には、過剰に強固な接続となり、組み立ての作業に手間がかかってしまう。
【先行技術文献】
【特許文献】
【０００４】
【特許文献１】実用新案登録第３０５３６８９号公報（第１頁）
【特許文献２】特開２００２−１３５１２号公報（第１頁）
【発明の概要】
【発明が解決しようとする課題】
【０００５】
組み立て収納棚に関して解決しようとする問題は、収納棚を形成するための構造部材としてパイプを用いる場合、従来は、棚部用パイプをパイプ用の継手に差し込むことで装着する構造となっており、組み立てに係る作業性が悪い点にある。
そこで本発明の目的は、収納棚を形成するための構造部材としてパイプを用いる場合において、組み立てに係る作業性を格段に向上させることができる組み立て収納棚を提供することにある。
【課題を解決するための手段】
【０００６】
本発明は、上記目的を達成するために次の構成を備える。
本発明にかかる組み立て収納棚の一形態によれば、一対の桟部で複数の棚部用パイプの両端部を受けて支持することで、該複数の棚部用パイプが棚を形成するように設けられる組み立て収納棚であって、前記桟部は、上面板部と側面板部とが設けられるように形成された桟の角部を備え、該桟の角部に前記棚部用パイプの端部を受けて支持するパイプ受穴部が設けられ、該パイプ受穴部は、実質的に水平に位置するように装着される前記棚部用パイプの端部が下方へ進入可能となるように前記上面板部から前記側面板部にかけて設けられた上面側切欠き部と、該上面側切欠き部に連続して前記側面板部に前記棚部用パイプの端部が下方へ進入可能に上方に開口する溝穴状に形成され、該棚部用パイプの端部の周側面を受けて支持すると共に該周側面の半円分以上が嵌って抜け止め効果を生じるように半円よりも周長が長く形成された側面切欠き部とが設けられることで形成されている。
【０００７】
また、本発明にかかる組み立て収納棚の一形態によれば、前記パイプ受穴部が、平板材を原材料とし、四角形と円形とを二つの工程で重ねて抜いた後に、曲げ加工によって前記桟の角部を形成することで設けられていることを特徴とすることができる。
【０００８】
また、本発明にかかる組み立て収納棚の一形態によれば、前記棚部用パイプが装着される一対の前記パイプ受穴部の開口最大間隔が、該棚部用パイプの長さよりも短く設けられ、装着された該棚部用パイプが上方へ外れることを防止するように、前記上面板部の前記上面側切欠き部が形成された部位より外側の上面板部が残された部位として上面抜け止め部が設けられていることを特徴とすることができる。
【０００９】
また、本発明にかかる組み立て収納棚の一形態によれば、複数の前記桟部が、上下に所定の間隔をおいて一対の支柱部の間に固定されることで、複数段の棚を構成するための側部枠が形成されていることを特徴とすることができる。
【００１０】
また、本発明にかかる組み立て収納棚の一形態によれば、一対の前記側部枠と、上部枠と、下部枠とを連結して組み立てることによって矩形棚枠を設け、該矩形棚枠に複数の前記棚部用パイプを装着することで構成されていることを特徴とすることができる。
【発明の効果】
【００１１】
本発明にかかる組み立て収納棚によれば、収納棚を形成するための構造部材としてパイプを用いる場合において、組み立てに係る作業性を格段に向上させることができるという特別有利な効果を奏する。
【図面の簡単な説明】
【００１２】
【図１】本発明にかかる組み立て収納棚の形態例を示す（ａ）正面図及び（ｂ）側面図である。
【図２】図１の形態例の組立図である。
【図３】図１の形態例の棚部用パイプの端部がパイプ受穴部に装着されている状態の詳細を示す側面図である。
【図４】図３の断面図である。
【図５】図１の形態例の棚部用パイプの端部がパイプ受穴部に装着されている状態の詳細を説明する斜視図である。
【図６】図１の形態例の桟部を構成する板金部材の形態例を示す（ａ）平面図及び（ｂ）正面図である。
【図７】図７の形態例のパイプ受穴部の部分を詳細に説明する正面図である。
【発明を実施するための形態】
【００１３】
以下、本発明にかかる組み立て収納棚の形態例を添付図面（図１〜７）に基づいて詳細に説明する。この組み立て収納棚は、一対の桟部１２、１２で複数の棚部用パイプ３０の両端部を受けて支持することで、その複数の棚部用パイプ３０が棚を形成するように設けられるものである。
【００１４】
本発明にかかる組み立て収納棚の桟部１２は、図３及び５などに示すように、上面板部１４と側面板部１５とが設けられるように形成された桟の角部１３を備える。そして、その桟の角部１３に棚部用パイプ３０の端部を受けて支持するパイプ受穴部２０が設けられている。なお、側面板部１５は、組み立て収納棚の内側に面する側面に設けられているもので、複数の棚部用パイプ３０の両端部を受けて支持する部位となるように、一対が対面した状態に配される面を構成するものとして設けられている。
【００１５】
このパイプ受穴部２０は、図３〜７に示すように、実質的に水平に位置するように装着される棚部用パイプ３０の端部が下方へ進入可能となるように上面板部１４から側面板部１５にかけて設けられた上面側切欠き部２１と、その上面側切欠き部２１に連続して側面板部１５に棚部用パイプ３０の端部が下方へ進入可能に上方に開口する溝穴状に形成され、その棚部用パイプ３０の端部の周側面を受けて支持すると共にその周側面の半円分以上が嵌って抜け止め効果を生じるように半円よりも周長が長く形成された側面切欠き部２２とが設けられることで形成されている。なお、側面切欠き部２２が、前述したように溝穴状に形成されるため、丸抜き穴２２ａの円の直径は、四角抜き穴２１ａに形成された四角形の巾よりも小さい寸法になっている。また、本形態例では、側面切欠き部２２が、丸抜き穴２２ａによって形成され、正確な円形が基本形態になっているが、本発明はこれに限定されず、実質的に棚部用パイプ３０の端部が容易には抜けない形状に設けられればよく、矩形を含めた多角形状で、実質的に棚部用パイプ３０が嵌る溝穴状になっていればよい。
【００１６】
これによれば、棚部用パイプ３０をパイプ受穴部２０へ上から進入させて叩いて打ち込むようにするだけで、その棚部用パイプ３０の端部を溝穴状に形成された側面切欠き部２２に装着でき、桟部１２によって棚部用パイプ３０の端部を受けて支持する状態となって、極めて簡単に棚を形成することができる。すなわち、収納棚を形成するための構造部材としてパイプを用いる場合において、組み立てに係る作業性を格段に向上させることができるという特別有利な効果を奏する。
【００１７】
また、本形態例では、パイプ受穴部２０が、平板材を原材料とし、四角形と円形とを二つの工程で重ねて抜いた後に、曲げ加工によって桟の角部１３を形成することで設けられている。本形態例では、図５及び７などに示すように、四角抜き穴２１ａの四角形の下端縁に当たる下辺２１ｂ（図７に仮想線で示す。）を基準にして、わずかに下側に偏心した位置に、丸抜き穴２２ａの中心２２ｂが位置するように、例えば、二つの金型によるプレス打ち抜きによって形成することができる。このような二工程によるプレス打ち抜きの場合、四角形と円形との打ち抜きの順番は、どちらが先でも可能であり、限定されるものではない。
【００１８】
なお、パイプ受穴部２０を形成するために形成される抜き穴は、一つの金型（一工程）によるプレス打ち抜きによって形成することも可能であり、さらに、レーザーカットなどの他の方法によって形成することも可能である。また、本形態例では、鋼板を原材料として精密板金加工によって形成されるものについて説明しているが、他の材質によって構成することも可能である。例えば、樹脂成型によって、本発明にかかるパイプ受穴部２０を備える桟部１２を成形することも可能である。
【００１９】
また、本形態のパイプ受穴部２０では、溝穴状に形成される側面切欠き部２２の上方の開口に、一対の抜け止め角部２３が形成されている。この一対の抜け止め角部２３の間隔寸法は、棚部用パイプ３０の直径よりもわずかに小さく設定されていると共に、側面切欠き部２２を形成する丸抜き穴２２ａの直径は、棚部用パイプ３０の直径よりもわずかに大きく設定されている。これによって、棚部用パイプ３０を、溝穴状の側面切欠き部２２内に押し込むことで嵌った状態とすることができる。また、丸抜き穴２２ａの中心２２ｂが上記のように下側に偏心した状態に位置するため、この抜け止め角部２３は、９０度よりも小さな角度の角に形成されている。このように、抜け止め角部２３が鋭角になっていることで、棚部用パイプ３０が弾性変形によって嵌り易い形態になっている。
【００２０】
また、本形態例では、棚部用パイプ３０が装着される一対のパイプ受穴部２０の開口最大間隔が、棚部用パイプ３０の長さよりも短く設けられ、装着された棚部用パイプ３０が上方へ外れることを防止するように、上面板部１４の上面側切欠き部２１が形成された部位より外側の上面板部１４が残された部位として上面抜け止め部１４ａが設けられている。
【００２１】
これによれば、引き戸などを嵌める要領と同様に、棚部用パイプ３０の一端部を一方のパイプ受穴部２０に装着した後、その一方のパイプ受穴部２０が形成された上面抜け止め部１４ａの下方に棚部用パイプ３０の一端部が入るように、その棚部用パイプ３０を一方側へ寄せ、次に、他方のパイプ受穴部２０に棚部用パイプ３０の他端部を装着することで、その棚部用パイプ３０によって簡単に棚を形成することができる。そして、上面抜け止め部１４ａによれば、棚部用パイプ３０が外れることを防止するように棚部用パイプ３０の端部の上方に位置することになるため、棚部用パイプ３０が容易に外れることはない。
【００２２】
また、棚部用パイプ３０を交換する際には、装着時と反対の作業を行うことで、一対のパイプ受穴部２０から棚部用パイプ３０を容易に脱着できる。すなわち、この棚部用パイプ３０の桟部１２に対する装着構造は、その着脱作業を簡単に行うことができ、強固に固定することを必要としない仕様において極めて有効なものになっている。
【００２３】
また、本形態例によれば、複数の桟部１２が、上下に所定の間隔をおいて一対の支柱部１１、１１の間に固定されることで、複数段の棚を構成するための側部枠１０が形成されている。図１及び２に示した形態例の組み立て収納棚によれば、６段の棚が形成されるように設けられており、その６段のうちの５段の棚に相当する桟部１２が一対の支柱部１１、１１の間に固定されて側部枠１０が形成されている。なお、本形態例では、最下段の桟部１２は、下部枠５０に固定されて設けられている。
【００２４】
これによれば、複数の棚部用パイプ３０を受けて支持するための桟部１２が、側部枠１０を形成する構造材としても機能する兼用構造となっており、簡易で合理的な構成になっている。なお、本形態例では、図１及び６に明らかなように、一対の桟部１２によって、１６本の棚部用パイプ３０を受けて支持する構成になっている。本発明はこれに限定されず、棚部用パイプ３０の本数や、取り付け間隔などを、適宜選択的に設定することができるのは勿論である。
【００２５】
また、本形態例の桟部１２は、図３〜５に示すように、支柱部１１に溶接によって固定されることで側部枠１０が形成されている。また、この桟部１２は、固定用上部折り曲げ部１６及び固定用下部折り曲げ部１７が設けられることで剛性が高められていると共に、その部分で支柱部１１への溶接が適切になされる。また、側面板部１５の下側に連続して下斜面板部１８が設けられていることで、桟部１２の剛性を高めることができ、棚部用パイプ３０を合理的に受けて支持できる形状になっている。
【００２６】
また、本形態例によれば、一対の側部枠１０、１０と、上部枠４０と、下部枠５０とを連結して組み立てることによって矩形棚枠を設け、その矩形棚枠に複数の棚部用パイプ３０を装着することで構成されている。なお。一対の側部枠１０、１０と、上部枠４０及び下部枠５０の連結は、図１に示すように、各連結部６０において、例えば本形態例のように二箇所でボルトナットによって容易に行うことができる
【００２７】
これによれば、一対の側部枠１０、１０と、上部枠４０と、下部枠５０とは、嵩張らないように重ねて効率的に搬送できる形態のものであり、工場で生産したものを、設置現場に容易に輸送することできる。そして、設置現場で矩形棚枠を組み立て容易に形成でき、その矩形棚枠に複数の棚部用パイプ３０を容易に装着できるものであるため、組み立て作業効率を格段に向上できるという特別有利な効果を奏する。
【００２８】
また、本形態例の組み立て収納棚は、複数段に積み重ねができる構造になっている。すなわち、上部枠４０の上面には、三角形に突起した積み重ね位置決め用突起４１が設けられており、この積み重ね位置決め用突起４１が、上段に積み重ねられる組み立て収納棚の下部枠５０に設けられた補強案内桟部５１をガイドすることで、その上段の組み立て収納棚が適切に積み重ねられるようになっている。
【００２９】
本発明にかかる組み立て収納棚は、棚部用パイプ３０を強固に固定することを必要としない用途、例えば、きのこ栽培用の棚や、野菜や植物の栽培用の棚などとして好適に用いることができる。棚部用パイプ３０によって棚が構成されるため、通気性が良く、きのこを含む植物の栽培に適しているが、これに限定されるものではなく、乾燥棚など、他の用途にも好適に利用できるのは勿論である。
【００３０】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３１】
１０  側部枠
１１  支柱部
１２  桟部
１３  桟の角部
１４  上面板部
１４ａ  上面抜け止め部
１５  側面板部
１６  固定用上部折り曲げ部
１７  固定用下部折り曲げ部
１８  下斜面板部
２０  パイプ受穴部
２１  上面側切欠き部
２１ａ  四角抜き穴
２１ｂ  下辺
２２  側面切欠き部
２２ａ  丸抜き穴
２２ｂ  中心
２３  抜け止め角部
３０  棚部用パイプ
４０  上部枠
４１  積み重ね位置決め用突起
５０  下部枠
５１  補強案内桟部
６０  連結部
【図１】
2017099333.tif 000003
【図２】
2017099333.tif 000004
【図３】
2017099333.tif 000005
【図４】
2017099333.tif 000006
【図５】
2017099333.tif 000007
【図６】
2017099333.tif 000008
【図７】
2017099333.tif 000009